(57)【特許請求の範囲】
【請求項１】
音高と弦の双方を特定し得る特定データによって弦楽器の演奏パートを表現した弦楽器用演奏データを記憶した特定データ記憶手段と、
設定されたテンポに応じたタイミング信号を出力するタイミングコントロール部と、
前記特定データ記憶手段から前記タイミング信号に応じたテンポで順次特定データを読み出す読出手段と、
表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、
前記読出手段が読み出した特定データに基づいてコードネームを検出する手段とを設け、
前記タブ譜表示制御手段は前記コードネームをも表示し、かつ、演奏データ中に挿入されたカポタスト位置を明示する情報に応じて、前記フレット番号を変更する処理を行うことを特徴とする演奏補助装置。
【請求項２】
音高と弦の双方を特定し得る特定データによって弦楽器の演奏パートを表現した弦楽器用演奏データを記憶した特定データ記憶手段と、
設定されたテンポに応じたタイミング信号を出力するタイミングコントロール部と、
前記特定データ記憶手段から前記タイミング信号に応じたテンポで順次特定データを読み出す読出手段と、
表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、
前記読出手段が読み出した特定データに基づいてコードネームを検出し、かつ検出したコードネームに対応するコードを演奏するために指板に対して押さえるべき指を示すコードフォームを検出する手段とを設け、
前記タブ譜表示制御手段は前記コードフォームをも表示し、かつ、演奏データ中に挿入されたカポタスト位置を明示する情報に応じて、前記フレット番号を変更する処理を行うことを特徴とする演奏補助装置。
【請求項３】
音高と弦の双方を特定し得る特定データによって弦楽器の演奏パートを表現した弦楽器用演奏データを記憶した特定データ記憶手段と、
設定されたテンポに応じたタイミング信号を出力するタイミングコントロール部と、
前記特定データ記憶手段から前記タイミング信号に応じたテンポで順次特定データを読み出す読出手段と、
表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、
前記読出手段が読み出した特定データに基づいてコードネームを検出する手段と、
カポタストの使用位置を入力する操作部とを設け、
前記タブ譜表示制御手段は前記コードネームをも表示し、かつ、前記操作部から入力されたカポタスト位置に応じて、前記フレット番号を変更する処理を行うことを特徴とする演奏補助装置。
【請求項４】
音高と弦の双方を特定し得る特定データによって弦楽器の演奏パートを表現した弦楽器用演奏データを記憶した特定データ記憶手段と、
設定されたテンポに応じたタイミング信号を出力するタイミングコントロール部と、
前記特定データ記憶手段から前記タイミング信号に応じたテンポで順次特定データを読み出す読出手段と、
表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、
前記読出手段が読み出した特定データに基づいてコードネームを検出し、かつ検出したコードネームに対応するコードを演奏するために指板に対して押さえるべき指を示すコードフォームを検出する手段と、
カポタストの使用位置を入力する操作部とを設け、
前記タブ譜表示制御手段は前記コードフォームをも表示し、かつ、前記操作部から入力されたカポタスト位置に応じて、前記フレット番号を変更する処理を行うことを特徴とする演奏補助装置。
【発明の詳細な説明】
【０００１】
【発明の属する技術分野】
この発明は、ギター等の弦楽器のタブ譜を演奏の進行に応じて表示することにより、弦楽器奏者に演奏を教習する演奏教習装置に関する。
【０００２】
【従来の技術】
近年のカラオケ装置においては、歌詞をテレビ画面に表示し、歌詞カード等を見ないでも歌えるようにしている。ところが、カラオケに従ってギター等の楽器を弾こうとすると、楽器の演奏をガイドするような表示が全くなされないため、演奏者はよほど熟知した曲でなければ弾くことができない。
【０００３】
【発明が解決しようとする課題】
一方、ギター等の弦楽器の演奏を教習するには、指使いを示した教則本やタブ譜などが適しているが、演奏の進行に応じた教示はすることができず、演奏者が自ら譜面をめくらなければならない。また、教則用ビデオなども普及しているが、頭出しが遅いなどの欠点があった。
この発明は、上述した事情に鑑みてなされたもので、ギター等の弦楽器の指使いを、曲の進行に応じて教示することができる演奏教習装置を提供することを目的としている。
【０００４】
【課題を解決するための手段】
上述の課題を解決するため、請求項１に記載の発明においては、音高と弦の双方を特定し得る特定データによって弦楽器の演奏パートを表現した弦楽器用演奏データを記憶した特定データ記憶手段と、設定されたテンポに応じたタイミング信号を出力するタイミングコントロール部と、前記特定データ記憶手段から前記タイミング信号に応じたテンポで順次特定データを読み出す読出手段と、表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、前記読出手段が読み出した特定データに基づいてコードネームを検出する手段とを設け、前記タブ譜表示制御手段は前記コードネームをも表示し、かつ、演奏データ中に挿入されたカポタスト位置を明示する情報に応じて、前記フレット番号を変更する処理を行うことを特徴とする。
また、請求項２に記載の発明においては、音高と弦の双方を特定し得る特定データによって弦楽器の演奏パートを表現した弦楽器用演奏データを記憶した特定データ記憶手段と、設定されたテンポに応じたタイミング信号を出力するタイミングコントロール部と、前記特定データ記憶手段から前記タイミング信号に応じたテンポで順次特定データを読み出す読出手段と、表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、前記読出手段が読み出した特定データに基づいてコードネームを検出し、かつ検出したコードネームに対応するコードを演奏するために指板に対して押さえるべき指を示すコードフォームを検出する手段とを設け、前記タブ譜表示制御手段は前記コードフォームをも表示し、かつ、演奏データ中に挿入されたカポタスト位置を明示する情報に応じて、前記フレット番号を変更する処理を行うことを特徴とする。
また、請求項３に記載の発明にあっては、音高と弦の双方を特定し得る特定データによって弦楽器の演奏パートを表現した弦楽器用演奏データを記憶した特定データ記憶手段と、設定されたテンポに応じたタイミング信号を出力するタイミングコントロール部と、前記特定データ記憶手段から前記タイミング信号に応じたテンポで順次特定データを読み出す読出手段と、表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、前記読出手段が読み出した特定データに基づいてコードネームを検出する手段と、カポタストの使用位置を入力する操作部とを設け、前記タブ譜表示制御手段は前記コードネームをも表示し、かつ、前記操作部から入力されたカポタスト位置に応じて、前記フレット番号を変更する処理を行うことを特徴とする。
また、請求項４に記載の発明にあっては、音高と弦の双方を特定し得る特定データによって弦楽器の演奏パートを表現した弦楽器用演奏データを記憶した特定データ記憶手段と、設定されたテンポに応じたタイミング信号を出力するタイミングコントロール部と、前記特定データ記憶手段から前記タイミング信号に応じたテンポで順次特定データを読み出す読出手段と、表示装置にタブ譜を表示するとともに、前記読出手段が読み出した特定データに基づいてフレット番号を特定し、かつ前記フレット番号の前記タブ譜における表示位置を求め、求められた表示位置に前記フレット番号を表示するタブ譜表示制御手段と、前記読出手段が読み出した特定データに基づいてコードネームを検出し、かつ検出したコードネームに対応するコードを演奏するために指板に対して押さえるべき指を示すコードフォームを検出する手段と、カポタストの使用位置を入力する操作部とを設け、前記タブ譜表示制御手段は前記コードフォームをも表示し、かつ、前記操作部から入力されたカポタスト位置に応じて、前記フレット番号を変更する処理を行うことを特徴とする。
【０００５】
【発明の実施の形態】
Ａ：実施形態の構成
以下、図面を参照してこの発明の一実施形態について説明する。なお、この実施形態は、本発明を携帯用カラオケ装置に適用した実施形態である。
図３は、この発明の一実施形態の外観を示す正面図である。図において、１は装置本体であり、その前面には以下に述べる操作子や表示部などが設けられている。
【０００６】
まず、本体１の前面上部には、各種表示を行う液晶表示部２が設けられ、その下方には選曲を行うためのセレクトつまみ３および歌唱用伴奏の再生／停止を指示するスタート・ストップボタン４が設けられている。
【０００７】
この場合、セレクトつまみ３を回転させると、これに連動するロータリーエンコーダ（図示略）からパルス信号が出力されるようになっている。また、スタート・ストップボタン４を押すと、所定のスイッチ（図示略）が押されて、スタート・ストップ信号が出力されるようになっている。
【０００８】
次に、ＲＯＭカートリッジ５０は、楽曲データとして、その曲の演奏情報（ＭＩＤＩ情報）、タイトル情報、およびタブ表示情報（詳細は後述）等が記憶されたＲＯＭを内蔵しており、本体１に対して着脱自在に構成されている。
４０ｕ、４０ｄは、各々曲のキーを変更するためのキースイッチであり、キースイッチ４０ｕを押すとキーが上がり、キースイッチ４０ｄを押すとキーが下がる。４１ｕ、４１ｄは、各々曲のテンポを変更するためのテンポスイッチであり、テンポスイッチ４１ｕを押すとテンポが早くなり、テンポスイッチ４１ｄを押すとテンポが遅くなる。４５はマイクの音量を調整するマイクボリューム、４６はマイク信号に付与するエコー効果の度合いを調整するエコーボリュームである。
【０００９】
次に、図４に示すＰＰ１，ＰＰ２，ＰＰ３は、各々外部出力用の端子であり、ＰＰ１は映像出力端子、ＰＰ２，ＰＰ３は各々音声出力端子（左および右側のオーディオ出力端子）である。これらの端子ＰＰ１，ＰＰ２，ＰＰ３は、接続コードによってビデオ入力端子付きのテレビ６０に接続される。
【００１０】
次に、この実施形態の電気的構成について説明する。図１は、この実施形態の電気的構成を示すブロック図であり、図において、７０は、上述した各種ボタン、キーおよびスイッチの出力信号に応じて装置各部を制御する操作コントロール部である。この場合、操作コントロール部７０は、セレクトつまみ３が回されて図示せぬロータリーエンコーダからパルス信号が出力されると、これに応じて曲番情報を作成し、データ読み出しコントロール部７２へ曲番情報を出力する。また、操作コントロール部７０は、他のキーやスイッチの出力信号に応じてタイミングコントロール部７１へ制御信号を送出する。
【００１１】
次に、データ読み出しコントロール部７２は、曲番情報に対応した曲およびその前後の曲番のタイトル情報をＲＯＭカートリッジ５０から読み出すとともに、スタート・ストップボタン４が押されて演奏の開始が指示されると、曲番情報に対応した曲の演奏情報、歌詞情報およびタブ表示情報ＴＡＢＳをＲＯＭカートリッジ５０から楽曲の進行に応じて順次読み出す。このデータ読み出しコントロール部７２が読み出したデータは、データ分離コントロール部７３に供給され、ここで各種データに分離される。例えば、歌詞情報、タイトル情報およびタブ表示情報はビデオ信号コントロール部７４へ転送され、演奏情報（ＭＩＤＩ信号）はＭＩＤＩ信号処理回路７６へ転送される。
【００１２】
ここで、本実施形態におけるＲＯＭカートリッジ５０の記憶内容について説明する。図５は、ＲＯＭカートリッジ５０のメモリマップである。図において、タイトルエリアＡ２には、テレビ表示用のタイトル情報（英数文字およびかな／漢字を指定するコード）が全曲分記憶されており、タイトルエリアＡ３には液晶表示用のタイトル情報（英数文字およびカタカナを指定するコード）が全曲分記憶されている。フォントエリアＡ４には、特殊なテレビ用のタイトル情報を表示するためのフォントデータ、すなわち、ビデオ信号コントロール部７４内に用意されていないフォントデータが記憶されている。
【００１３】
また、ＭＵ１、ＭＵ２、ＭＵ３……は、各々１曲目、２曲目、３曲目……の楽曲データである。ここで、楽曲データとは、演奏データ、これに対応する歌詞情報、およびタブ表示情報ＴＢＳの組を言う。また、ポインタエリアＡ１には、各エリアや楽曲データの開始アドレスを示すポインタが格納されている。
【００１４】
次に、図１に示すＭＩＤＩ信号処理回路７６は、データ分離コントロール部７３から供給されたＭＩＤＩ信号を処理して楽音信号を作成し、オーディオ信号処理回路７７に出力する回路である。オーディオ信号処理回路７７は、マイク８０から入力される音声信号と、ＭＩＤＩ信号処理回路７６から供給される演奏情報をミキシング増幅し、この結果得られるオーディオ信号を出力する。オーディオ信号処理回路７７の出力信号は、テレビ６０のオーディオ回路部に入力される（図４参照）。なお、オーディオ信号処理回路７７の出力信号は、オーディオ装置８１に別途供給してもよい。
【００１５】
一方、ビデオ信号コントロール部７４は、タブ表示情報ＴＡＢ、歌詞情報およびテレビ表示用のタイトル情報を処理し、これらに対応するビットマップのＲＧＢ信号を作成してビデオ信号処理回路７５へ出力する。ビデオ信号処理回路７５は、供給されたＲＧＢ信号からビデオ信号（アナログ信号）を作成し、テレビ６０に出力する。また、ビデオ信号コントロール部７４は、液晶表示用のタイトル情報を液晶表示部２に転送する。液晶表示部２では、供給されたタイトル情報に基づいて、カタカナおよび英数表示を行う。
【００１６】
次に、ビデコントロール部７４の構成について図２を参照して説明する。なお、タイトル情報の処理に関わる構成については、本発明とは関連がないので、説明を省略する。
図２（ａ）に示すデータ分離部９０は、供給される歌詞情報を要素毎に分類するものである。ここで、歌詞情報は、同図（ｂ）に示すように、テキストコード情報ＳＤａ、表示位置情報ＳＤｂ、表示・消去タイミング情報ＳＤｃおよびワイプ情報ＳＤｄから構成されている。
この場合、テキストコード情報ＳＤａは、所定の長さ（１フレーズあるいは２フレーズ等の所定長）の歌詞を示すテキストコード（文字列）から成っている。
【００１７】
次に、表示位置情報ＳＤｂはテキストコード情報ＳＤａが示す文字列の表示位置を示す情報である。表示位置は、文字列の原点（例えば、先頭の文字の左上点）の位置を示す（Ｘ，Ｙ）座標データで示される。
また、表示・消去タイミング情報は、テキストコード情報ＳＤａが示す歌詞の表示開始タイミングと消去タイミングを示す時刻データである。ワイプ情報は、曲の進行に従って歌詞色塗りするための制御情報であり、色塗り開始のタイミングおよび色塗りの速度等を示す情報から成っている。
さて、データ分離部９０で分離されたテキストコード情報ＳＤａは、フォントデータ変換部９２に供給され、ここで、各テキストコードがフォントデータに変換される。そして、変換されたフォントデータは、歌詞テキストビットマップコントロール部９１に転送される。
【００１８】
歌詞テキストビットマップコントロール部９１は、データ分離部９０から転送された表示・消去タイミング情報ＳＤｃ、ワイプ情報ＳＤｄおよび表示位置情報ＳＤｂに基づいて、フォントデータ変換部９２から供給されたフォントデータを表示する。すなわち、フォントデータを表示位置情報ＳＤｂに応じてビットマップ上に配置し、文字列を展開する。そして、展開された文字列を表示・消去タイミングＳＤｃに応じたタイミングで合成部９８を介してビデオ信号処理回路７５へ出力する。また、ワイプ情報ＳＤｄに応じたタイミングおよび速度に応じて、ビットマップ上に展開された文字列の色塗り処理を行う。なお、色塗り処理の速度は、ワイプ情報内の速度情報と、タイミングコントロール部７１から供給されるタイミング信号とに応じて設定される。この場合、タイミング信号は、テンポスイッチ４１ｕ、４１ｄによって設定されたテンポに応じて変動するので、テレビ６０に表示される歌詞は、曲のテンポに応じた速度で色塗りされる。すなわち、曲の進行と色塗り速度とが一致する。
【００１９】
次に、図２（ａ）に示すデータ分離部９５は、供給されるタブ表示情報ＴＡＢＳを要素毎に分類するものである。ここで、タブ表示情報ＴＡＢＳは、同図（ｃ）に示すように、フレット番号情報ＴＤａ、弦番号指示情報ＴＤｂ、および表示・消去タイミング情報ＴＤｃから構成されている。
【００２０】
ここで、フレット番号情報ＴＤａは、ギター用タブ譜に用いられるフレット番号を示す情報である。なお、タブ譜は、音符を弦楽器の指板上のポジションで表す記譜法であり、弦楽器の各弦に対応した線の上にフレット番号を表記する。図６は、本実施形態におけるタブ譜表示の規則を説明する図であり、図示のように弦番号１〜６に対応した横線Ｌ１〜Ｌ６と小節を示す縦線Ｌｖとが表示され、さらに、横線Ｌ１〜Ｌ６に重ねて、フレットの位置を示すフレット番号が表示されている。この図の横軸は、時間の進行、すなわち、楽曲の進行方向を示している。したがって、フレット番号が表示される位置により、どの弦を何時弾くのかが判る。
【００２１】
弦番号指示情報ＴＤｂは、押さえられるべき弦の番号を示し、この弦番号指示情報ＴＤｂは上述のフレット番号情報ＴＤａと共に表示位置生成部９９に入力される。表示位置生成部９９は、入力された２つの情報を参照し、フレット番号を表示すべき位置を求め、この位置に対応した表示位置情報ＴＤｄを生成する。この表示位置情報ＴＤｂは、フレット番号の表示位置を示し、図６に示すように、テレビ画面６０の、例えば右上端を原点にした（Ｘ，Ｙ）座標を示す。また、表示・消去タイミング情報は、フレット番号情報ＴＤａが示す番号の表示開始タイミングと消去タイミングを示す時刻データである。
また、フレット番号情報ＴＤａは画像データ変換部９６に供給され、ここで、フレット番号に対応する画像データに変換される。そして、変換された画像データは、タブビットマップコントロール部９７に転送される。
【００２２】
タブビットマップコントロール部９７は、データ分離部９５から転送された表示・消去タイミング情報ＴＤｃおよび、表示位置生成部から出力される表示位置情報ＴＤｄに基づいて、画像データ変換部９６から供給された画像データを表示する。すなわち、画像データを表示位置情報ＴＤｄに応じてビットマップ上に配置する。このとき、横線Ｌ１〜Ｌ６および小節線Ｌｖは、予めビットマップ上に描画される。そして、フレット番号のフォントを表示・消去タイミングＴＤｃに応じたタイミングで合成部９８を介してビデオ信号処理回路７５へ出力する。
【００２３】
Ｂ：実施形態の動作
（１）初期表示
次に、上述した構成によるこの実施形態の動作について説明する。
まず、パワースイッチ３７をオンすると、データ読み出しコントロール部７２は、ＲＯＭカートリッジ５０内のポインタを参照してテレビ表示用のタイトル情報を読み出す。そして、ビデオ信号コントロール部７４がこれらの曲のタイトル情報をテキストコードに変換し、さらに、これらのテキストコードに対応したフォントデータに変換する。これにより、ビデオ信号コントロール部７３は、テレビ６０にタイトル表示を行わせる（図示略）。
【００２４】
（２）演奏動作
次に、操作者がセレクトつまみ３を回すと、その回転量に応じたパルスが出力され、このパルス信号が操作コントロール部７０に供給される。今、操作者がセレクトつまみ３を右に１パルス分回したとすると、システムコントロール部７０は、供給されたパルスに基づいてデータ読み出しコントロール部７２に次の曲を選択するように指示する。次に、いずれかの曲が選択されている状態において、スタート・ストップボタン４が押されると、図示せぬスイッチからオン信号が出力され、これにより、操作コントロール部７０がデータ読み出しコントロール部７２に演奏の開始を指示する。この結果、データ読み出しコントロール部７２は、ＲＯＭカートリッジ５０内のポインタを参照して、当該曲の楽曲データを順次読み出す。
【００２５】
今、第１曲目が選択されている状態で、スタート・ストップボタン４が押されると、この曲の楽曲データ（図５参照）が読み出される。そして、楽曲データ中の演奏情報がデータ分離コントロール部７３によって分離されてＭＩＤＩ信号処理回路７６に転送され、ここで、楽音信号が作成される。この楽音信号はオーディオ信号処理回路７７を介してテレビ６０に供給されスピーカーから出力される。
【００２６】
そして、イントロ演奏が終了して歌の部分に入ると、楽曲データのうちの歌詞情報がビデオ信号処理回路７５に供給される。そして、テレビ６０の画面には、図７に示すような歌詞表示が行われ、歌詞テキストビットマップコントロール９１は、ワイプ情報に基づいて、歌詞の文字の色塗りを行う。すなわち、図７に示す例においては、「Hello Darkness my old Friend」の歌詞表示が行われるとともに、この歌詞が楽曲の進行に応じて色塗りされていく。
【００２７】
一方、ＲＯＭカートリッジ５０から読み出された楽曲データには、タブ表示情報ＴＡＢＳが含まれており、これがデータ分離コントロール部７３によって分離され、図２に示すデータ分離部９５に供給される。そして、データ分離部９５からは、フレット番号データ、表示・消去タイミングデータおよび、該フレット番号データーと弦番号データから生成された表示位置情報が出力され、タブビットマップコントロール部９７は、これらのデータに応じた表示用画像を生成する。この結果、図７の中段に示すようなタブ表示が行われる。
【００２８】
また、この実施形態におけるタブビットマップコントロール部９７は、フレット番号データと表示位置情報から、ノート情報（音高）を検出し、検出したノート情報からコード（和音）を判定するようにしている。和音の判定は、例えば、１小節〜１／２小節の間に現れるノート情報に基づいて行う。なお、ノート情報からコードを検出するアルゴリズムは、電子楽器等において周知なので、その説明は省略する。そして、タブビットマップコントロール部９７は、判定した和音に対応する画像データを画像データ変換部９６から読み出し、合成部９８に送出する。これにより、図７に示すようにテレビ画面６０の上段にコードネームが表示される。
以上のようなタブ表示、コードネーム表示および歌詞表示は、楽曲の進行に応じて読み出される楽曲データに基づいて行われるので、楽曲の進行に従って適宜更新される。
【００２９】
Ｃ：変形例
上述した実施形態においては、以下のような種々の変形が可能である。
▲１▼タブ表示情報ＴＡＢに含まれる弦番号指示情報に代えて、フレット番号データを表示する位置を直接的に指定する表示位置情報を用いる。
この場合においては、フレット番号データと弦番号指示データとから表示位置情報を生成するための表示位置生成部は省略できる。しかしながら、弦番号指示データから表示用位置の座標化処理がＲＯＭカートリッジ５０へのデータ記憶時に必要となること、表示部の構成が固定となり、データ利用の観点では汎用性が低下することになる。
【００３０】
また、ギターのようにフレットを持つ弦楽器においては、カポタストを用いることにより、全ての弦に対して一律に音高を上げて演奏することができるが、このときのフレット番号は、タブ譜においては、カポタストの位置から数えたものにするのが一般的である。したがって、カポタストを使用した方が弾きやすい曲においては、カポタストのフレット位置を明示する情報を演奏データ中に挿入するとともに、その情報に基づいてフレット番号を変更する処理を行っても良い。さらに、カポタストの使用位置をテレビ画面６０に表示してもよい。
【００３１】
また、カポタストの使用位置を入力する操作部を設け、この操作部によって入力されたカポタスト位置に応じてフレット番号の変更処理を行っても良い。この場合においては、演奏者の好みの位置にカポタストを付けても、その位置を入力することにより、これに対応したタブ譜表示を行うことができる。
【００３２】
▲２▼上述した実施形態においては、タブ表示情報ＴＡＢＳからコードネームを検出したが、コードネームについては、個別のデータとして予め演奏データに含ませてもよい。
【００３３】
▲３▼また、タブ表示情報ＴＡＢＳからコードネームを検出した後、コードフォームを検出して表示してもよい。なお、コードフォームとは、例えば、図８（ｂ）に示すように、そのコードを演奏するためにギターの指板に対して押さえるべき指を示したものである。
ところで、同一コードであっても、幾つかのポジションがあるが、タブ表示データＴＡＢＳから検出されるノート情報に応じたポジションのものを表示すれば、曲調に合わせたコードフォームを表示することができる。
さらに、タブ表示情報ＴＡＢＳに基づいてタブ譜表示を行った結果、図８（ａ）に示すように同時に６つの弦の全てを弾く表示となることもある。これは、コードストロークと呼ばれる演奏を示す場合であり、このような演奏に際しては同図（ｂ）に示すようなコードフォームの表示が極めて効果的である。なお、図８（ａ）はコードＦのコードストローク演奏を行った場合のタブ譜であり、同図（ｂ）はコードＦのコードフォームである。
【００３４】
▲４▼楽曲が演奏だけのもの（インストルメンタル）の場合は、歌詞表示は必要ないので、表示面にはタブ譜だけを表示すればよい。この場合においては、インストルメンタルか否かを示す情報を演奏データ中に含ませ、この情報を検出することにより表示を切換えればよい。
【００３５】
▲５▼上述した実施形態においては、演奏データに基づく演奏がなされるから、タブ譜においてはフレット番号だけを表示すれば、特に符長を表示しなくても音長は耳で認識できるので演奏に支障はない。しかし、必要に応じて符長も表示してもよい。この場合においては、符長を示すデータをＴＡＢ表示情報に予め含めておけば、これに基づいた表示制御が可能である。例えば、図２（ｃ）に示すようにフレット番号データとともに符長データを記憶させ、これらのデータに対応した画像データを選択するように構成すればよい。図９は、符長表示を行った場合の表示例である。この場合には、図２（ａ）に示す画像データ変換部９６には、図９に示すような画像データ（符長とフレット番号が組み合わされたもの）を予め記憶させておく。
【００３６】
▲６▼上述の実施形態においては、フレット番号の表示に対し、ワイプ処理は行わなかったが、例えば、図６の画面下方に示すように、タイミングを示すマークを表示し、このマークの色を楽曲の進行に応じて切り換えるようにしてもよい。この場合、タイミング信号は、テンポスイッチ４１ｕ、４１ｄによって設定されたテンポに応じて変動するので、テレビ６０に表示されるマークは、曲のテンポに応じた速度で色塗りされる。すなわち、曲の進行と色塗り速度とが一致する。さらに、上記と同様の処理により、フレット番号自体をワイプ処理してもよい。
【００３７】
▲７▼データ分離部９５（図２（ａ）参照）において、キー情報を参照することにより、フレット番号や表示位置情報をキーに応じて変更するように構成してもよい。
この場合は、コードネームも変更されるので、キー変更量に対応してコードネームの変更も行うとよい。
【００３８】
▲８▼さらに、ＲＯＭカートリッジ５０の所定の記憶エリアに、通常使用される各種コードのコードフォーム表（コードダイヤグラム表）を記憶させ、操作者の選択に応じて適宜表示させてもよい。
【００３９】
▲９▼その他
・タブ譜の表示にあっては、表示画面を左右に２分割し、左から右へ演奏が進んだときは左側に次の演奏を表示し、次いで、演奏が左側に移ったら今度は右側に次の演奏を表示するように構成してもよい。同様にして、表示画面を上下２段に分割し、演奏が他方の部分に移ったら、一方の部分には次の演奏を表示するように構成してもよい。また、上記とは別にタブ譜をスクロールさせることによって演奏に追従させる表示形態をとってもよい。
以上の処理によれば、演奏に先行してタブ譜が表示されるので、演奏者は先読みしてスムーズに演奏することができる。
【００４０】
・タブ譜のデータを複数パート用意しておき、装置側においてそのいづれか一つを選択するように構成してもよい。このように構成すれば、例えば、同一曲において、リードギターとリズムギターの２つのパートを用意し、そのいずれかを選択して表示させることができる。
【００４１】
・前述の実施形態は、ギター用タブ譜を表示する例であったが、本発明は、電気ベース、ウクレレ、バンジョー、マンドリン等のフレットを有する弦楽器は勿論、三味線、バイオリン、チェロ、ビオラ等のフレットレスの弦楽器にも適用することができる。ただし、フレットレス楽器に適用する場合は、フレット番号表示ではなく、ポジション表示となる。
【００４２】
【発明の効果】
以上説明したように、この発明によれば、ギター等の弦楽器の指使いを、曲の進行に応じて教示することができる。
【図面の簡単な説明】
【図１】  この発明の一実施形態の電気的構成を示すブロック図である。
【図２】  図１に示すビデオ信号コントロール部７４の構成を示すブロック図である。
【図３】  実施形態の外観を示す正面図である。
【図４】  実施形態においてテレビを接続する場合の接続図である。
【図５】  実施形態におけるＲＯＭカートリッジ５０のメモリマップである。
【図６】  実施形態におけるタブ譜の表示規則を説明する図である。
【図７】  実施形態におけるタブ譜表示例を示す図である。
【図８】  実施形態におけるコードフォームの表示例を示す図である。
【図９】  実施形態におけるタブ譜表示の他の例を示す図である。
【符号の説明】
５０……ＲＯＭカートリッジ（特定データ記憶手段：演奏データ記憶手段）、７２……データ読み出しコントロール部（読出手段）、７６……ＭＩＤＩ信号処理回路（楽音信号作成手段）、９６……画像データ変換部（タブ譜表示制御手段）、９７……タブビットマップコントロール部（タブ譜表示制御手段）
ＴＤａ……フレット番号情報（特定データ）、ＴＤｂ……弦番号指示情報（特定データ）。
【図１】
0003774928.tif 000002
【図２】
0003774928.tif 000003
【図３】
0003774928.tif 000004
【図４】
0003774928.tif 000005
【図５】
0003774928.tif 000006
【図６】
0003774928.tif 000007
【図７】
0003774928.tif 000008
【図８】
0003774928.tif 000009
【図９】
0003774928.tif 000010